(57)【要約】      （修正有）【課題】エアコンの小型化を容易化し、使用時に任意の使い勝手の良い位置にコントローラーを設置できるエアコンを提供する。【解決手段】エアコンは、本体１と、本体にケーブル３で連結されるコントローラー２を具備し、コントローラーは、本体のオン／オフスイッチ２ａと、冷房、暖房及び除湿の切り替えスイッチ２ｂと、温度の昇降スイッチ２ｃ及び風速の調整スイッチ２ｄを有し、本体の背面には、配管内部に排気用ファンが配設され、排気ダクトに接続される排気用配管と、吸気ダクトに接続される吸気用配管が具備され、排気用配管及び吸気用配管は本体の背面に沿って左右方向に方向切り替え可能に配設される。本体に連結されているケーブルの長さを十分にとることでコントローラーを任意の位置に設置できる。【選択図】図１
0003229880.tif 000002
【実用新案登録請求の範囲】
【請求項１】
エアコンディショナーであって、
本体と、
該本体にケーブルで連結されるコントローラーを具備する
ことを特徴とするエアコンディショナー。
【請求項２】
上記コントローラーは、上記本体のオン／オフスイッチと、冷房、暖房及び除湿の切り替えスイッチと、温度の昇降スイッチ及び風速の調整スイッチを有することを特徴とする、請求項１に記載のエアコンディショナー。  
【請求項３】
上記本体の背面には、配管内部に排気用ファンが配設されていて排気ダクトに接続される排気用配管と、吸気ダクトに接続される吸気用配管と、が具備されており、上記排気用配管及び吸気用配管は上記本体の背面に沿って左右方向に方向切り替え可能に配設されていることを特徴とする、請求項１または２に記載のエアコンディショナー。
【考案の詳細な説明】
【技術分野】
【０００１】
本考案は、エアコンディショナーに関する。
【背景技術】
【０００２】
エアコンディショナー（以降エアコンと記す。）のコントローラーには、エアコンの本体に設置されるものと、リモコンと略して呼ばれるリモートコントローラーの２形態があって、通常のエアコンはこれらの２形態のコントローラーの双方を備えている。
【０００３】
小型のエアコンの場合、エアコン本体にコントローラーを設置することが装置の小型化の設計に不利に働いていた。また、エアコン使用時に本体に設置されたコントローラーでは使い勝手が悪い場合が多いという問題点があった。上記のリモコンはこの問題を解消するための装置であるが、電池の交換が必要であることや、ポータブルで使い勝手が良い反面、所在不明になりがちであるという欠点を有している。
【０００４】
特許文献１には小型で素子冷却効率が高く、既存のトイレに容易に取り付けられるエアコンの発明が開示されている。
【先行技術文献】
【特許文献】
【０００５】
【特許文献１】特開２０１８−１７９３７５号公報
【考案の概要】
【考案が解決しようとする課題】
【０００６】
しかしながら、特許文献１のエアコンのコントローラーでは装置の小型化における問題点やエアコン使用時の上記問題点については解消されない。
【０００７】
本考案は上記問題点に鑑み、エアコンの小型化を容易化し、使用時の問題点をも解決するエアコンを提供することを課題とする。
【課題を解決するための手段】
【０００８】
上記課題を解決するために、請求項１の考案は、エアコンディショナーであって、本体と、本体にケーブルで連結されるコントローラーを具備することを特徴とする。
請求項２の考案は、さらに、コントローラーは、本体のオン／オフスイッチと、冷房、暖房及び除湿の切り替えスイッチと、温度の昇降スイッチ及び風速の調整スイッチを有することを特徴とする。
請求項３の考案は、さらに、本体の背面には、配管内部に排気用ファンが配設されていて排気ダクトに接続される排気用配管と、吸気ダクトに接続される吸気用配管が具備されており、排気用配管及び吸気用配管は本体の背面に沿って左右方向に方向切り替え可能に配設されていることを特徴とする。
【考案の効果】
【０００９】
本考案により、小型化の設計が容易化され、使用時においては任意の使い勝手の良い位置にコントローラーを設置でき、従来のリモコンの問題点も解消できるエアコンを提供することができる。
【図面の簡単な説明】
【００１０】
【図１】本考案の第１の実施形態を示す斜視図である。（ａ）はエアコン本体、（ｂ）は本体とコントローラーの組立状態、（ｃ）は本体とコントローラーをケーブルで連結した状態を示す。
【図２】第１の実施形態の使用例を示す図である。
【図３】第１の実施形態を示す図である。（ａ）は背面図、（ｂ）は側面図、（ｃ）は前面図、（ｄ）は上面図を示す。
【考案を実施するための形態】
【００１１】
以下、本考案の第１の実施形態について図を用いて説明する。まず本実施形態のエアコンの構成について説明する。
【００１２】
図１、２に示すように、本体１と、本体１にケーブル３で連結されるコントローラー２を具備している。
コントローラー２は、本体のオン／オフスイッチ２ａと、冷房、暖房及び除湿の切り替えスイッチ２ｂと、温度の昇降スイッチ２ｃ及び風速の調整スイッチ２ｄを有している。
本体１の背面１ａには、配管内部に排気用ファン６が配設されていて不図示の排気ダクトに接続される排気用配管４と、不図示の吸気ダクトに接続される吸気用配管５が具備されており、排気用配管４及び吸気用配管５は本体１の背面１ａに沿って左右方向に方向切り替え可能に配設されている。
【００１３】
次に、本実施形態のエアコンの機能、効果について説明する。
コントローラー２がケーブル３によって本体１に連結されていることにより、ケーブル３の長さを十分にとることでコントローラー２を任意の位置に設置することができる。
【００１４】
これにより、使用者はコントローラー２を本体１からは離れた最も操作しやすい位置に、最も操作しやすい角度に設置することができる。当然ながらその設置位置、角度を自由に変更することもできる。また、当然ながらこのコントローラー２は充電したり、電池交換したりすることは不要である。さらに、このコントローラー２がどこかに置き忘れられて所在不明になったりすることもない。
【００１５】
これらの効果はコントローラー２が本体１からケーブル３で連結されているからこそ実現できたことである。通常のエアコンに付属しているリモコンを本実施形態のコントローラー２の代用品とすることはできないのである。
【００１６】
また、本体１側から考えれば、本体１に通常であれば設置されているコントローラー部が省略されているのであるからより小型化されているのは明らかである。コントローラー２を本体１から分離させたことにより、本体１の設置位置、設置角度の自由度が増すという効果もある。使用者は本体１に接近することなくコントローラー２によってエアコンの操作が行えるからである。
【００１７】
さらに、本体１の背面１ａに配設される排気用配管４と吸気用配管５は左右方向に自由に配管の向きを変更できるので、本体１の設置環境において、不図示の排気ダクト及び吸気ダクトへの最適な配管を可能にする。
【００１８】
本実施形態のエアコンは、通常のエアコンのように、本体に設置されたコントローラーとリモコンという常識的な組み合わせを採用せず、一見不便にも思える本体とケーブル接続のコントローラーを採用することで、本体の小型化やコントローラーの最適な配置を実現し、さらに従来のリモコンの問題点をも解決するという多くの効果を奏するものである。
【符号の説明】
【００１９】
１  本体
１ａ  背面
２  コントローラー
３  ケーブル
４  排気用配管
５  吸気用配管
６  排気用ファン
【図１】
0003229880.tif 000003
【図２】
0003229880.tif 000004
【図３】
0003229880.tif 000005